(57)【要約】      （修正有）【課題】どのような場所にも簡単に設置することができ、マイナスイオン発生効果の持続性に優れ、安全面でも問題がない鳥類忌避材を提供する。【解決手段】鳥類忌避材１であって、マイナスイオン発生粉体組成物を少なくとも基材表面に担持させるか、袋状にした基材内部に包含したことを特徴とするものであり、マイナスイオン発生粉体組成物として、トルマリン粉末（比重Ａ、平均粒子径ａ）と電融安定化酸化ジルコニウムを除くジルコニウム化合物粉末（比重Ｂ、平均粒子径ｂ）との混合粉末であって、トルマリン粉末１００重量部に対し電融安定化酸化ジルコニウムを除くジルコニウム化合物粉末が下記（１）式に示される量が配合されてなるものを使用することが好ましく、忌避材１には上端部分につり下げるための鳩目孔３を有している。  １００Ｂｂ3／３Ａａ3〜１０００Ｂｂ3／Ａａ3重量部    （１）【選択図】図１
0003119118.tif 000002
【実用新案登録請求の範囲】
【請求項１】
マイナスイオン発生粉体組成物を少なくとも基材表面に担持させるか、袋状にした基材内部に包含したことを特徴とする鳥類忌避材。
【請求項２】
マイナスイオン発生粉体組成物が、トルマリン粉末（比重Ａ、平均粒子径ａ）と電融安定化酸化ジルコニウムを除くジルコニウム化合物粉末（比重Ｂ、平均粒子径ｂ）との混合粉末であって、トルマリン粉末１００重量部に対し電融安定化酸化ジルコニウムを除くジルコニウム化合物粉末が下記（１）式に示される量が配合されてなることを特徴とする請求項１記載の鳥類忌避材。
１００Ｂｂ3／３Ａａ3〜１０００Ｂｂ3／Ａａ3重量部    （１）
【請求項３】
マイナスイオン発生粉体組成物が、トルマリン粉末（比重Ａ、平均粒子径ａ）と電融安定化酸化ジルコニウム粉末（比重Ｃ、平均粒子径ｃ）との混合粉末であって、トルマリン粉末１００重量部に対して電融安定化酸化ジルコニウム粉末が下記（２）式に示される量が配合されてなることを特徴とする請求項１記載の鳥類忌避材。
２５Ｃｃ3／Ａａ3〜１０００Ｃｃ3／Ａａ3重量部    （２）
【請求項４】
基材が通気性を有する合成樹脂フィルム、不織布、織布、編布、合成樹脂成形体のうちの少なくとも１つからなることを特徴とする請求項１乃至３の何れかに記載の鳥類忌避材。
【請求項５】
基材または袋状にした基材の上端部分につり下げるための構造を有していることを特徴とする請求項１乃至４の何れかに記載の鳥類忌避材。
【考案の詳細な説明】
【技術分野】
【０００１】
本考案は、鳥類、特にカラスに対して忌避用として使用される鳥類忌避材に関するものである。
【背景技術】
【０００２】
最近、ゴミ集積場、果樹園、田畑等において鳥類、とくにカラスによる被害が多く発生している。例えば、一般家庭から出されるゴミ袋がおかれるゴミ集積場においては、カラスがゴミ袋を破って、生ゴミを散乱させ、ゴミ集積場を汚す被害が問題となっている。
【０００３】
このような被害をなくすために、ゴミ集積場のゴミ袋にネットを被せたり、特殊な色に着色するか薬剤を添加したゴミ袋を使用したりするような対応が取られている。ゴミ袋にネットを被せる方法においては、ゴミ袋を出すたびにネットをきちんと張り直したり、ネットの隙間からカラスがゴミ袋を引きずり出したりするなどの不都合があった。また、果樹園や田畑等に使用する場合は、全体を覆うことは難しく、作業性、コスト面でも問題があった。
【０００４】
固形、液状、ゲル状の忌避剤も提案されている（特許文献１、特許文献２）が、これらは何れも、有害物質が含まれているなど、取り扱いが難しいものであった。また、これらの忌避剤をゴミ袋自体に添加したり、塗布するなどしたものは、ゴミ袋自体が不透明になったり、ゴミ集積所の景観を損ねたり、専用のゴミ袋を使用する必要があったりなどの問題があった。
【０００５】
一方、最近の検討によると、活性酸素やマイナスイオンをカラス等の鳥類が嫌うという実験結果が発表され、いろいろな形態の忌避材が提案されつつある。
しかし、マイナスイオン発生の持続性がなかったり、安全性の面で不安なものである。
【特許文献１】特開２００３−３１０１３５号公報
【特許文献２】特開２００４−１５５７０３号公報
【考案の開示】
【考案が解決しようとする課題】
【０００６】
本考案は、このような問題を解決するためになされたもので、どのような場所にも簡単に設置することができ、マイナスイオン発生効果の持続性に優れ、安全面でも問題がない鳥類忌避材を提供することを課題とする。
【課題を解決するための手段】
【０００７】
本考案は、鳥類忌避材であって、マイナスイオン発生粉体組成物を少なくとも基材表面に担持させるか、袋状にした基材内部に包含したことを特徴とするものであり、マイナスイオン発生粉体組成物として、トルマリン粉末（比重Ａ、平均粒子径ａ）と電融安定化酸化ジルコニウムを除くジルコニウム化合物粉末（比重Ｂ、平均粒子径ｂ）との混合粉末であって、トルマリン粉末１００重量部に対し電融安定化酸化ジルコニウムを除くジルコニウム化合物粉末が下記（１）式に示される量が配合されてなるものを使用することが好ましい。
１００Ｂｂ3／３Ａａ3〜１０００Ｂｂ3／Ａａ3重量部    （１）
または、マイナスイオン発生粉体組成物として、トルマリン粉末（比重Ａ、平均粒子径ａ）と電融安定化酸化ジルコニウム粉末（比重Ｃ、平均粒子径ｃ）との混合粉末であって、トルマリン粉末１００重量部に対して電融安定化酸化ジルコニウム粉末が下記（２）式に示される量が配合されてなるものを使用することが好ましい。
２５Ｃｃ3／Ａａ3〜１０００Ｃｃ3／Ａａ3重量部    （２）
また、上記基材は、通気性を有する合成樹脂フィルム、不織布、織布、編布、合成樹脂成形体のうちの少なくとも１つからなることが好ましく、さらに、基材または袋状にした基材は、上端部分に、つり下げるための構造を有していることが好ましい。
【０００８】
一般的にトルマリン粉末は、空気の乱流、温度差、湿度差、圧力、摩擦力等の外的作用が働かないとその電気的特性を発揮しない、すなわち、これらの外的作用がないとマイナスイオンを発生する機能が極めて微弱なものとなってしまう。また、外的作用を加えても継続的にその電気特性を発揮できない。
本考案では、マイナスイオン発生粉体組成物として、上記のものを使用することで、放射線の放射によるマイナス面を解消するとともに、トルマリンのマイナスイオン発生機能を向上させ、静止状態でも（すなわち外的作用がなくても）マイナスイオンが多く発生する、マイナスイオン発生粉体組成物を提供するものである。
【考案の効果】
【０００９】
本考案者は、放射線を放射する希土類元素を含む鉱石を使用せずに、トルマリンのマイナスイオン発生機能を向上させ、静止状態でもマイナスイオンを多く生成することができる技術を鋭意研究した結果、ジルコニウム化合物粉末とともにトルマリン粉末を使用すると、放射線の放射はきわめて微量で、しかもトルマリンからのマイナスイオン発生は、トルマリン粉末単独で使用した場合よりもきわめて多量であることの知見を得た。
本考案の忌避材は、この知見に基づくものであって、本考案の忌避材を、ゴミ集積所の周辺につり下げたり、設置することにより、カラス等がゴミ袋を破って、生ゴミを散乱させることを防止することができる。
【００１０】
また、忌避材を担持等させる基材として、柔軟性のあるものを選択することにより、果樹園等の樹木の枝等に直接結ぶことができ、この手法により、果樹等を鳥類の食害から守ることも可能となる。
【考案を実施するための最良の形態】
【００１１】
本考案で使用される基材は、合成樹脂フィルム、不織布、織布、編布、合成樹脂成形体のうちの少なくとも１つである。
本考案の忌避材の使用本数や設置間隔は、担持されるマイナスイオン発生粉体組成物の担持量、基材の大きさや形状、あるいは忌避材の使用場所や使用目的などによって適宜選定される。
基材が通気性を有する合成樹脂フィルム、不織布、織布、編布の場合には、その形状はテープ状、短冊状、紐状、ネット状のどのような形態のものであってもよく、忌避材として使用する場所や用途によって適宜選択することができる。例えば、テープ状、紐状であれば、ゴミ集積場周辺や果樹園の樹木等に一定長さのものを数カ所縛り付けたり、特定箇所を囲むようにして取り付けることで、鳥類忌避材として使用することができる。
【００１２】
また、ネット状のものは一般に使用されるゴミ集積場のネット等と同じように使用することで、多少ゴミ袋がネットからはみ出していてもカラス等からの被害を防止することが可能となる。一定形状に裁断して、樹木等からつり下げるような使用方法であっても良い。
短冊状の基材であれば、樹木等からつり下げたり、ひも等に通して複数枚を並列に並べてつり下げるような対応を取ることも可能である。
【００１３】
合成樹脂成形体の場合は、テープ状、短冊状、紐状、ネット状に成形したものでも、鳥類が嫌う猛禽類等の形状に成形したものであってもよい。
【００１４】
また、紐、フック、樹木の枝等につり下げるような対応で設置する場合には、基材は、上端部につり下げるための構造を有していることが好ましい。例えば、上端部に孔を設けたり、フック等の他の部材を設けるなどがある。
【００１５】
マイナスイオン発生粉体組成物を少なくとも基材表面に担持させる手段としては、例えば、マイナスイオン発生粉体組成物を合成樹脂と混合して、射出成形や押出成形により、成形体やフィルム、繊維等に加工することが挙げられる。
【００１６】
また、予めフィルム、繊維、織布、編布、成形体としておき、これらに塗布や含浸等の手段で、少なくとも表面に担持させてもよい。例えば、マイナスイオン発生粉体組成物と塗料成分とを混合して作成した塗料などを基材や基材原料に塗布や含浸等の手段で、少なくとも表面に担持させることが挙げられる。
上記の塗料成分としては、漆塗料などの天然樹木から採取される樹脂を主成分とする塗料、オレフィン系樹脂、塩化ビニル系樹脂、ポリウレタン系樹脂、アクリル系樹脂、ポリエステル系樹脂、ポリアミド系樹脂、エポキシ系樹脂、フェノール系樹脂、ポリスチレン系樹脂、メラミン系樹脂、尿素系樹脂などの熱可塑性樹脂や熱硬化性樹脂を主成分とする油性塗料や水性塗料のほか、天然ゴム、シリコン系ゴム、フッ素系ゴム、スチレン系ゴム、ブタジエン系ゴム、イソプレン系ゴム、クロロプレン系ゴム、アクリロニトリル系ゴム、ポリウレタン系ゴム、エチレンプロピレン系、熱可塑性ゴム、熱可塑性エラストマーを主成分とした油性塗料や水性塗料など一般に使用されている塗料であれば、どのようなものも使用できる。
【００１７】
これらの塗料に、本考案におけるマイナスイオン発生粉体組成物を配合するには、塗料を製造する原材料中に配合し、その後塗料を製造するようにしてもよいし、製造された塗料に配合するようにしてもよい。
塗料に配合するマイナスイオン発生粉体組成物の量は、少なすぎれば、塗料を塗布し乾燥して形成された塗膜から十分なマイナスイオンが発生されない場合があり、多すぎれば、塗料の粘度が高くなり塗工性が悪くなる傾向があるため、塗料中に含まれる樹脂固形分１００重量部に対して５〜５０重量部、好ましくは１０〜４０重量部、さらに好ましくは１５〜３０重量部とする。
【００１８】
本考案の鳥類忌避材は、少なくとも基材表面にマイナスイオン発生粉体組成物の担持させただけでも効果は充分に発揮することができるが、基材として、通気性を有するものを袋状に加工したものを使用し、この内部にマイナスイオン発生粉体組成物、または無機粒体等の表面をマイナスイオン発生粉体組成物で被覆したものを包含させたものであってもよい。
このような構成とすることにより、基材表面に担持させただけの忌避材に比べて、マイナスイオン発生量を増大させることができると共に、持続性も向上し、鳥類忌避材としての効果がより優れたものとなる。
【００１９】
なお、基材に通気性を付与する対応としては、基材自体が通気性を有してもよいし、基材に細孔を複数設けたものでもよい。このような対応により、基材を袋状にして、内部にマイナスイオン発生粉体組成物を入れても、内部より発生したマイナスイオンが外部へ排出され、マイナスイオンの忌避剤としての効果を増大させることが可能となる。
【００２０】
マイナスイオン発生粉体組成物で被覆する無機粒体としては、遠赤外線発生効果などのある天然鉱石のやセラミック等を使用することができる。このような無機粒体を使用することで、鳥類忌避材としての効果だけでなく、消臭効果や作物の育成効果も付加することができる。
【００２１】
本考案に使用されるトルマリンは、一般式：（Na,Ca,K）(Al,Fe,Li,Mg,Mn)3(BO3)3(Al,Cr,Fe,V)6(Si2O6)3(O,OH,F)4で表される珪酸塩鉱物であり、電荷の自発分極性を有し、著しい圧電性や集電性を示すことから電気石とも称されるものである。
このトルマリンとしては、一般式：Na(Li,Al)3(BO3)3Al6(Si2O6)3(OH)4で示されるエルバイトトルマリン（リチア電気石）と呼ばれるもの、式：NaFe3(BO3)3Al6(Si2O6)3(OH)4で示されるショールトルマリンと呼ばれるもの、式：NaMg3(BO3)3Al6(Si2O6)3(OH)4で示されるドラバイトトルマリンと呼ばれるものが知られているが、いずれのものも使用できる。
これらのトルマリンは従来から室内空気のイオン化に有効であることが知られてきている。
【００２２】
トルマリンの粉末粒子は自発分極により常に静電気を帯びているので、これに水分子が触れると瞬間的に放電して水素ガスとヒドロキシルイオンとを発生し、水を弱アルカリ化する作用を有している。
そして、空気中において、同様に水分が電気分解されて発生したヒドロキシルイオンが空気中に放出されることによって、空気がマイナスイオン化される。このようなマイナスイオン化した空気は、人体に対して新陳代謝の促進、血行促進、疲労回復、食欲増進、安眠、鎮痛など数々の好影響を与えるといわれているが、カラス等の鳥類に対しては忌避剤としての効果があるといわれている。
【００２３】
したがって、トルマリン粉末粒子の大きさは、小さいほど空気中の水分子と接触する面積が大きくなり、マイナスイオン発生が効果的に行われることになる。トルマリン粉末の好適な大きさは平均粒子径で、０．０１〜１０００μｍ、好ましくは０．０５〜１００μｍ、最も好ましくは０．１〜２０μｍである。粉末粒子が大きすぎると、マイナスイオン発生効果が少なくなるばかりでなく、塗料や合成樹脂に含有させて塗膜や合成樹脂成型品を作製したときに、平滑な表面が得られにくくなり、小さすぎると、均一に分散させることが困難となる場合がある。
【００２４】
また、トルマリンは、前記静電気が物質を吸着または反発する作用によって消臭効果、抗菌効果を有するのみならず、遠赤外線放射率の高い材料であることが知られている。さらに、トルマリンはその自発分極性を恒常的に有しているので、上記した効果は、化学反応により失われたり経時的に劣化したりすることはない。
【００２５】
また、本考案で使用するトルマリンとしては、リチア電気石が好ましい。このリチア電気石はエルバイトトルマリンと呼ばれ、おおよそ淡色のピンク、緑、青色を呈したエルバイトトルマリンを粉末化したものは、光の散乱によってほぼ白色を呈するものである。
したがって、リチア電気石を粉末化したものを塗料や合成樹脂に分散させれば、任意の染料や顔料を塗料や合成樹脂に含有させることによって、塗料や合成樹脂の色合いを淡色から農色まで自由に設計することができる。
淡色系に着色する場合には、エルバイトトルマリンを単独で使用するのが最も好ましいが、ショールトルマリンやドラバイトトルマリンと混合して使用することもできる。エルバイトトルマリンとショールトルマリンやドラバイトトルマリンとを混合して使用する場合の混合比率は、５０／５０〜１００／０、好ましくは７０／３０〜１００／０、さらに好ましくは８０／２０〜１００／０である。
【００２６】
本考案で使用できるジルコニウム化合物としては、ケイ酸ジルコニウム、金属ジルコニウム、酸化ジルコニウム、炭酸ジルコニルアンモニウム、オキシ塩化ジルコニウム、電融安定化酸化ジルコニウム（「電融安定化ジルコニウム」と称する場合がある）、安定化ジルコニアなどがあげられる。特に好ましいのは、電融安定化ジルコニウムである。これらのジルコニウム化合物は、純度１００％のものが最も好ましいが、必ずしも純度１００％でなくてもマイナスイオン発生機能を励起活性させ、マイナスイオン発生の向上が認められるものであれば、どのような純度であってもよいが、本考案で所望する効果が認められのは、純度７０％以上、好ましくは８０％以上、最も好ましくは９０％以上である。
【００２７】
電融安定化ジルコニウムは、特にトルマリンのマイナスイオン発生機能を励起活性させる作用が強く、最も好ましいものである。
【００２８】
ケイ酸ジルコニウムは、ジルコンサンドを鉄ボールなどで粉砕し、粉砕物から鉄粉を除去し、分級することにより得られる。
金属ジルコニウムは、ジルコンサンドから炭化ジルコニウムを調製し、これを四塩化ジルコニウムとして後、得ることができる。
酸化ジルコニウムは、ジルコンサンドをアルカリ分解してジルコン酸アルカリとし、これを酸に溶解させジルコニル溶液とし、これから水酸化ジルコニルを得て、これを酸化することにより得ることができる。また、酸化ジルコニウムは、パデライトを原料とし、これから不純物を除去して得ることもできる。
炭酸ジルコニルアンモニウムは、ジルコニル溶液から炭酸ジルコニルを得て、これから炭酸ジルコニルアンモニウムを得ることができる。
電融安定化ジルコニアは、ジルコンサンドを、石炭を添加してアーク溶融することにより得ることができる。
【００２９】
上記した電融安定化ジルコニウム以外のジルコニウム化合物（以下、単に「他のジルコニウム化合物」と称する場合がある）または電融安定化ジルコニウムを粉砕して、他のジルコニウム化合物粉末もしくは電融安定化ジルコニウム粉末とし、これをトルマリン粉末と混合することにより、トルマリンのマイナスイオン発生機能が向上でき、しかも放射線放射のない混合粉体組成物が得られるものである。
但し、単に混合しただけでは、必ずしもマイナスイオン発生機能を向上させることができるとは限らない。そこで、本考案者等は、この機能を向上させるために、種々の研究をした結果、電融安定化ジルコニウム以外の他のジルコニウム化合物粉末が、トルマリン粉末の個数の３分の１以上存在するときにマイナスイオン発生機能が向上することを見出した。特に、他のジルコニウム化合物粉末がトルマリン粉末の個数の２倍以上存在するときにマイナスイオン発生機能が最も向上することをも見出した。他のジルコニウム化合物粉末の個数がトルマリン粉末の個数よりも少なくなるに伴い、マイナスイオン生成機能は減少し、トルマリン粉末の個数の３分の１未満になるとマイナスイオンの発生機能は急速に少なくなる。
【００３０】
また、電融安定化ジルコニウム粉末は、他のジルコニウム粉末とは異なり、トルマリン粉末に作用してマイナスイオン発生させる機能が強いので、トルマリン粉末の個数の４分の１未満になるまではマイナスイオンの発生機能は急速に少なくなることはない。
【００３１】
一方において、他のジルコニウム化合物粉末や、電融安定化ジルコニウム粉末の個数がトルマリン粉末の個数より１０倍以上多くなっても、マイナスイオン発生機能の向上はわずかとなり、しかも他のジルコニウム化合物粉末や電融安定化ジルコニウム粉末を多量に使用することは、経済的な面から好ましくない。
【００３２】
したがって、本考案においては、電融安定化ジルコニウムを除く他のジルコニウム化合物粉末の個数は、トルマリン粉末の１／３〜１０／１の個数を存在させるのが好ましく、電融安定化ジルコニウム粉末の場合にはトルマリン粉末の１／４〜１０／１の個数を存在させるのが好ましい。すなわち、トルマリン粉末の比重がＡ（ｇ／ｃｃ）で平均粒子径をａ（ｃｍ）とした場合、比重Ｂ（ｇ／ｃｃ）で平均粒子径ｂ（ｃｍ）の他のジルコニウム化合物粉末は、トルマリン粉末１００重量部に対して１００Ｂｂ3／３Ａａ3〜１０００Ｂｂ3／Ａａ3重量部、好ましくは、５０Ｂｂ3／Ａａ3〜５００Ｂｂ3／Ａａ3重量部、最も好ましくは１００Ｂｂ3／Ａａ3〜３００Ｂｂ3／Ａａ3重量部を混合するのが適している。
また、トルマリン粉末の比重がＡ（ｇ／ｃｃ）で平均粒子径をａ（ｃｍ）とした場合、比重Ｃ（ｇ／ｃｃ）で平均粒子径ｃ（ｃｍ）の電融安定化ジルコニウム粉末は、トルマリン粉末１００重量部に対して２５Ｃｃ3／Ａａ3〜１０００Ｃｃ3／Ａａ3重量部、好ましくは４０Ｃｃ3／Ａａ3〜４００Ｃｃ3／Ａａ3重量部、最も好ましくは７０Ｃｃ3／Ａａ3〜２５０Ｃｃ3／Ａａ3重量部を混合するのが適している。
【００３３】
トルマリン粉末と電融安定化ジルコニウムを除く他のジルコニウム化合物粉末または電融安定化ジルコニウム粉末は、上記したとおりの混合比率で混合することにより、マイナスイオン発生機能は向上するものであるが、その機能の向上をより効率的にするには、トルマリン粉末１個に対して他のジルコニウム化合物粉末が１／３個（他のジルコニウム化合物粉末１個に対してトルマリン粉末３個）〜１０個、またはトルマリン粉末１個に対して電融安定化ジルコニウム粉末が１／４個（電融安定化ジルコニウム粉末１個に対してトルマリン粉末４個）〜１０個が精密に分散されるのが望ましい。
【００３４】
トルマリン粉末と他のジルコニウム化合物粉末や電融安定化ジルコニウム粉末とを均一に分散する方法としては、通常使用されている撹拌翼型の混合機、空気流型混合機で粉末状態のままで混合してもよいし、粉末を水などの液体中に分散させ、撹拌翼を使用して混合したり、液流で混合してもよい。さらには、精密分散状態に混合するための特殊混合機、例えば、ラモンドスターラーを使用したラモンドミキサーなどを使用して混合してもよい。
通常使用されている混合機を使用する場合には、トルマリン粉末と他のジルコニウム化合物粉末または電融安定化ジルコニウム粉末との平均粒径が同じである場合には、比重の大きい粉末が下層に集中することになり、精密分散状態にすることが難しくなる傾向がある。したがって、トルマリン粉末の比重がＡ、他のジルコニウム化合物粉末の比重がＢの場合、他のジルコニウム粉末の平均粒径ｂはトルマリン粉末の平均粒径ａのＡ／Ｂ倍にするのが好ましく、トルマリン粉末の比重がＡ、電融安定化ジルコニウム粉末の比重がＣの場合、電融安定化ジルコニウム粉末の平均粒径ｃはトルマリン粉末の平均粒径ａのＡ／Ｃ倍にするのが好ましい。
【実施例】
【００３５】
（実施例１）
トルマリン粉末として、エルバイトトルマリン（比重Ａが３．０、平均粒径ａが３μｍ）、ショールトルマリン（比重Ａが３．３、平均粒径ａが３μｍ）、ドロバイトトルマリン（比重Ａが３．３、平均粒径ａが３μｍ）を使用し、他のジルコニウム化合物粉末として珪酸ジルコニウム粉末（比重Ｂが４．２、平均粒径ｂが２μｍ）を使用し、これらを５０：２５：２５：４０の割合で配合して、マイナスイオン発生粉体組成物Ｐ１を製造した。
トルマリン粉末と他のジルコニウム化合物粉末とは、トルマリン粉末と他のジルコニウム化合物粉末とが精密分散されるようにラモンドミキサーにて混合して粉体組成物を得た。
また、ウレタン樹脂塗料（大日精化工業製商品名“レザミン”、固形分５５％）と上記で得られたマイナスイオン発生粉体組成物Ｐ１とを１：１の割合で混合してマイナスイオン発生粉体組成物塗料Ｐ２を得た。
この得られたマイナスイオン発生粉体組成物塗料Ｐ２を、基材として、図１の模式図に示す上端部に直径５ｍｍの鳩目孔３を有する４０ｍｍ×３００ｍｍの大きさの目付量５０ｇ／ｍ2のポリプロピレン／ポリエチレン不織布の両面に３０ｇ／ｍ2でマイナスイオン発生粉体組成物塗料Ｐ２を塗布して、本考案の忌避材３を得た。
【００３６】
（実施例２）
図２の模式図に示すように、基材として実施例１で使用したものと同じ不織布を、４０ｍｍ×６００ｍｍにして、不織布の両面に６０ｇ／ｍ2でマイナスイオン発生粉体組成物塗料Ｐ２を塗布した後、長さ方向で半分に折り、幅方向の両端５ｍｍを熱融着法にて接着２′し、４０ｍｍ×３００ｍｍの袋状態を作成した。この袋の中に、実施例１で作成したマイナスイオン発生粉体組成物Ｐ１を３５ｇ入れて、上端部を熱融着法にて接着２″した後、該接着部２″を除く上端部に直径５ｍｍの鳩目孔３を設けて忌避材２を作成した。
【００３７】
（比較例１）
実施例１で、他のジルコニウム化合物粉末混合せずにトルマリンのみを使用した以外は、実施例１と同様にして忌避材（以下、忌避材３と記す）を作成した。
【００３８】
実施例１，２及び比較例１で得られた忌避材１，２，３を、エム・アイ・ティ社製のイオン発生測定器イオンメーターを使用して、マイナスイオン発生数を測定した。
その結果は、忌避材１（実施例１の忌避材）が８００個／ｃｍ3、忌避材２（実施例２の忌避材）が１０００個／ｃｍ3、忌避材３（比較例１の忌避材）が３００個／ｃｍ3であった。
【００３９】
実施例１，２及び比較例１で得られた忌避材１，２，３を、栃木県足利市の渡良瀬川河川敷で、忌避材１，２，３のそれぞれを１０ｍの間隔をおいて、１辺１ｍの四角形状になるように忌避材１，２，３のそれぞれを４個づつ高さ１ｍの所につり下げ内部に豚の背脂を置き、忌避材１，２，３のそれぞれからなる３つのエリアを作成した。
各エリアの３時間のカラスの集まる状況を観察した結果、忌避材３（比較例１の忌避材）を使用したエリアには数羽のカラスが内部に進入し、豚の背脂を食べ尽くしてしまった。
忌避材１（実施例１の忌避材）に関しては、周囲に数羽のカラスが集まってくるがエリア内部には進入しなかった。忌避材２（実施例２の忌避材）に関しては、結果としては忌避材１（実施例１の忌避材）と同様であったが、カラスが近づく距離が忌避材１よりも離れていた。
【図面の簡単な説明】
【００４０】
【図１】実施例１の忌避材を説明するための模式図
【図２】実施例２の忌避材を説明するための模式図
【符号の説明】
【００４１】
１        実施例１の忌避材
２        実施例２の忌避材
３        鳩目孔
【図１】
0003119118.tif 000003
【図２】
0003119118.tif 000004